(57)【特許請求の範囲】
【請求項１】
断熱壁によって囲まれ前面に開口部を有する商品収納庫と、該商品収納庫内に配設され販売商品を収納する商品収納棚と、一側端が支持され前記商品収納庫の開口部を開閉する断熱扉と、前記開口部の周囲に配設され該断熱扉を閉じたときに断熱扉と当接するシール部材とを備えた自動販売機において、
前記シール部材のうち、前記断熱扉の開放端部と当接する開放端シール部材は前記開口部の前方に延出する延出部を有し、
該延出部を前記開口部の前方から退避させた状態で当該延出部を保持可能な保持手段を備えたことを特徴とする自動販売機。
【請求項２】
前記延出部は軟質樹脂で形成され、前記保持手段は前記延出部を前記開口部の前方から退避させた状態で嵌め込み保持可能な嵌合部を有していることを特徴とする請求項１に記載の自動販売機。
【請求項３】
前記保持手段は、前記商品収納庫を覆う本体の内側壁に配設された本体フレームであって、前記嵌合部は該本体フレームの上下方向に形成された溝であることを特徴とする請求項２に記載の自動販売機。
【請求項４】
前記保持手段は、前記延出部が前記嵌合部に嵌め込まれた状態で、前記延出部を前記嵌合部方向に押さえつけるストッパ部材を備えていることを特徴とする請求項２または請求項３に記載の自動販売機。
【請求項５】
前記開放端シール部材は軟質部を有し、前記保持手段は当該軟質部を変形させることによって前記延出部を前記開口部の前方から退避させた状態で保持するものであることを特徴とする請求項１に記載の自動販売機。
【発明の詳細な説明】
【０００１】
【発明の属する技術分野】
本発明は、商品収納庫内に商品収納棚が配設され、商品収納庫の前面を開閉する断熱扉を備えた自動販売機に関する。
【０００２】
【従来の技術】
図４を用いて従来よりある自動販売機について説明する。図４に示すように従来の自動販売機１００は、本体２と、本体２にヒンジ２ａにて支持された本体扉３とを備えて構成されている。本体２内には、商品収納庫４が形成されている。この商品収納庫４は、販売商品を冷却あるいは加温した状態で保温できるように断熱壁で囲まれており、前面に開口部４１を有している。商品収納庫４内には販売商品を収納するための商品収納棚５が複数配設されている。商品収納庫４の開口部４１は、上下断熱扉６１、６２によって開閉できるようになっている。上断熱扉６１は、本体扉３に支持された展示扉３１の背面に取り付けられており、本体扉３を開放することによって、上断熱扉６１も開放されるように構成されている。一方、下断熱扉６２は本体２側に図示しないヒンジにて支持されており、本体扉３の開閉とは別個に開閉するように構成されている。
【０００３】
このように構成された従来の自動販売機１００において、上下の断熱扉６１、６２と商品収納庫４とのシールを確実にするため、商品収納庫４の開口部４１の周囲に配設されたシール部材のうち、上下断熱扉６１、６２の開放端部６１ａ、６２ａと当接する開放端シール部材７０を、その先端部が開口部４１の前方にまで延出するように配設していた。
【０００４】
このような構成は、たとえば、実開平６−５９９７２号に開示されている。
【０００５】
【発明が解決しようとする課題】
こうした従来の自動販売機１００においては、上下断熱扉６１、６２の開放端側に配設された商品収納棚をメンテナンス等で商品収納庫から引き出す、あるいは商品収納庫内に挿入するとき、開放端シール部材７０の先端部が邪魔になるため作業性が悪く、なおかつ商品収納棚の着脱時に開放端シール部材７０を破損してしまうといった不具合を有していた。このとき例えば開放端シール部材７０を取り外し可能に構成すれば、商品収納棚５の出し入れ作業の妨げとならないようにできるが、このような構成では、開放端シール部材７０の着脱作業が面倒であるとともに、開放端シール部材７０の着脱作業の際に開放端シール部材を破損してしまうといった不具合を有し、また、開放端シール部材７０の取り付けにバラツキが生じやすいため上下断熱扉６１、６２のシール性を損なう可能性もある。
【０００６】
本発明は、こうした課題を解決するためになされたものであり、商品収納棚の着脱作業を容易に行うことのできる自動販売機を提供するものである。
【０００７】
【課題を解決するための手段】
請求項１の発明に係る自動販売機は、断熱壁によって囲まれ前面に開口部を有する商品収納庫と、該商品収納庫内に配設され販売商品を収納する商品収納棚と、一側端が支持され前記商品収納庫の開口部を開閉する断熱扉と、前記開口部の周囲に配設され該断熱扉を閉じたときに断熱扉と当接するシール部材とを備えた自動販売機において、前記シール部材のうち、前記断熱扉の開放端部と当接する開放端シール部材は前記開口部の前方に延出する延出部を有し、該延出部を前記開口部の前方から退避させた状態で当該延出部を保持可能な保持手段を備えたことを特徴とするものである。
【０００８】
この構成によれば、開放端シール部材の延出部を開口部の前方から退避させた状態で保持させることができるので、開放端シール部材を取り外さなくても、商品収納棚の着脱の際に開放端シール部材が邪魔にならないようにすることができる。
【０００９】
請求項２の発明に係る自動販売機は、請求項１の構成において、前記延出部は軟質樹脂で形成され、前記保持手段は前記延出部を前記開口部の前方から退避させた状態で嵌め込み保持可能な嵌合部を有していることを特徴とするものである。
【００１０】
この構成によれば、延出部をはめ込み保持させる構成であるので、保持作業が容易に行える。
【００１１】
請求項３の発明に係る自動販売機は、請求項２の構成において、前記保持手段は、前記商品収納庫を覆う本体の内側壁に配設された本体フレームであって、前記嵌合部は該本体フレームの上下方向に形成された溝であることを特徴とするものである。
【００１２】
この構成によれば、本体フレームが保持手段を兼ねる構成であるので、コストを抑えることができる。
【００１３】
請求項４の発明に係る自動販売機は、請求項２または請求項３の構成において、前記保持手段は、前記延出部が前記嵌合部に嵌め込まれた状態で、前記延出部を前記嵌合部方向に押さえつけるストッパ部材を備えているものである。
【００１４】
この構成によれば、ストッパ部材によって延出部をより確実に保持することができる。
【００１５】
請求項５の発明に係る自動販売機は、請求項１の構成において、前記開放端シール部材は軟質部を有し、前記保持手段は当該軟質部を変形させることによって前記延出部を前記開口部の前方から退避させた状態で保持するものであることを特徴とするものである。
【００１６】
この構成によれば、軟質部を変形させて退避保持させるものであるので、延出部を退避させるための複雑な機構が不要である。
【００１７】
【発明の実施の形態】
以下、図面を参照しながら、本発明の実施形態を詳細に説明する。
【００１８】
なお、従来の構成と同じものについては、従来の技術にて説明した符号と同一符号を付している。
【００１９】
図１は本発明の自動販売機１の本体平面断面図である。図１に示すように、自動販売機１は、本体２と、本体扉３と、発泡ウレタン等の断熱壁４３によって囲まれ前面に開口部４１を有する商品収納庫４と、この商品収納庫４内に複数配設され販売商品を収納する商品収納棚５と、一側端がヒンジ（図５に示す従来の構成と同様）に支持され商品収納庫４の開口部４１を開閉する上下断熱扉６１、６２と、開口部４１の周囲に配設され上下断熱扉６１、６２を閉じたときに上下断熱扉６１、６２の背面と当接し商品収納庫４からの冷気・暖気もれを防ぐシール部材７とを備えて構成されている。
【００２０】
なお、上下断熱扉６１、６２の構成は図４に示す従来の構成と同様であるため、説明は省略する。
【００２１】
商品収納庫４は、２枚の断熱仕切板４４によって３庫内に分割されており、断熱仕切板４４の前端には上下方向に上下断熱扉６１，６２と当接してシールする仕切板シール４４ａが設けられている。
【００２２】
本体２は、板金部材を溶接して箱状に形成したものであり、商品収納庫４の前方位置には、本体２の間口を補強するため両内側面に上下方向に延びる本体フレーム２１が溶接固定されている。
【００２３】
次に、図２を用いて、本発明の第１の実施の形態について説明する。
【００２４】
図２（ａ）は自動販売機の平面断面図の要部拡大図である。図２（ａ）に示すように、開放端シール部材７ａは、商品収納庫４の内壁面を形成する内箱４ａと、本体フレーム２１に挟持されることによって固定されている。この開放端シール部材７ａは軟質樹脂と硬質樹脂との２色押出し成形によって形成されたものであり、内箱４ａと本体フレーム２１に挟持される硬質固定部７１ａと、硬質固定部７１ａから前方に延び上下断熱扉の開放端部６１ａ、６２ａ（図１参照）と当接する軟質シール部７２ａ（図示肉厚部分）を備えてなり、この軟質シール部７２ａ（図示肉薄部分）の先端部７３ａ(延出部)は、商品収納庫４の開口部４１の前方に延出している。
【００２５】
このような構成においては、メンテナンス等で開放端側の商品収納棚５を庫外に引き出そうとするとき、図２（ａ）の矢印に示す如く、開放端シール部材７ａの先端部７３ａが邪魔となる。
【００２６】
そこで、本実施の形態では、本体フレーム２１に上下方向に延びる溝部２１ａ（嵌合部）を形成し、図２（ｂ）に示す如く開放端シール部材７ａの先端部７３ａを変形させてこの溝部２１ａに押し込み嵌合させることによって、先端部７３ａを商品収納庫４の開口部４１の前方から退避させた状態で保持させることができるように構成している。すなわち、本実施の形態では、本体フレーム２１が先端部７３ａの保持手段として機能するように構成している。
【００２７】
このように、本実施の形態では開放端シール部材７ａの先端部７３ａを商品収納庫４の開口部４１の前方から退避させた状態で保持することができるので、商品収納棚５を庫外に引き出し、挿入する作業を容易に行うことができる。
【００２８】
なお、本実施の形態では、図２（ａ）に示すように軟質シール部７２ａの前端部から本体フレーム２１に向かって延びるひれ部７４ａを設けて構成しているが、このひれ部７４ａは、その先端が本体フレーム２１に当接することによって、軟質シール部７２ａの不要な変形を防ぐものであり、上下断熱扉６１、６２の通常の開閉動作等によって、軟質シール部７２ａが変形し溝部２１ａに嵌り込まないようにするといった作用をもたらすものである。
【００２９】
また、本実施の形態では、先端部７３ａの内面に切り欠き部７５ａを設けていが、この切り欠き部７５ａは、先端部７３ａを溝部２１ａに押し込む際に変形のきっかけをつくるとともに、溝部２１ａに押し込んだときに図２（ｂ）に示す如く、軟質シール部７２ａを溝部２１ａに馴染ませて嵌合状態を保持させるといった作用をもたらすものである。
【００３０】
商品収納棚５のメンテナンスが終了し、溝部２１ａに嵌合させた軟質シール部７２ａを元の状態に戻すには、図２（ｂ）の状態において先端部７３ａをつまんで引っ張り出せば良い。
【００３１】
このように、本第１の実施の形態によれば、開放端シール部材７ａの先端部７３ａを開口部４１の前方から退避させた状態で保持させることができるので、商品収納棚５の着脱の際に開放端シール部材７ａが邪魔にならず作業が容易となる。また、開放端シール部材７ａを取り外さなくても、商品収納棚５の着脱の際に開放端シール部材７ａが邪魔にならないようにすることができる。また、先端部７３ａをはめ込み保持させる構成であるので、保持作業が容易である。また、本体フレーム２１が保持手段を兼ねる構成であるので、コストを押させることができる。また、開放端シール部材７ａの軟質部分を変形させて先端部７３ａを退避させるものであるので、退避させるための複雑な機構が不要であるといった効果を奏するものである。
【００３２】
次に、図３を用いて、本発明の第２の実施の形態について説明する。
【００３３】
図３（ａ）は自動販売機の平面断面図の要部拡大図である。本第２の実施の形態は、上述した第１の実施の形態にストッパ８を追加したものである。このストッパ８は開放端シール部材７ａと上下方向略同寸法で形成されたものであって、図２（ａ）に示す如く、補強部材２１に螺子８ａにて着脱可能に取りつけられる。通常の使用状態では、ストッパ８の先端部が軟質シール部７２ａの本体フレーム２１側に位置し、ひれ部７４ａとともに、軟質シール部７２ａの不要な変形を防止するようになっている。そして、軟質シール部７２ａの先端部７３ａを開口部４１の前方から退避させる場合には、螺子８ａを緩めてストッパ８を一旦取り外し、図３（ｂ）に示す如く、軟質シール部７２ａを溝部２１ａに嵌めこんだ後、再度ストッパ８を螺子８ａにて取りつけて、この先端部７３ａを溝部２１ａに向かって押さえつける。このようにすることで、先端部７３ａをより確実に保持することができる。そして、商品収納棚５のメンテナンスが終了し、軟質シール部７２ａを元の状態に戻すには、図３（ｂ）の状態において、ストッパ８をはずし、先端部７３ａをつまんで引っ張り出したのち、軟質シール部７２ａの本体フレーム２１側にストッパ８を取りつければ良い。
【００３４】
このように、本第２の実施の形態によれば、ストッパ８によって先端部７３ａをより確実に保持することができるといった効果を奏する。
【００３５】
なお、本第２の実施の形態の如く、ストッパ８を設ける場合には、軟質シール部７２ａが溝部２１ａに嵌合保持されるような構成は必ずしも必要ではない。すなわち、溝部２１ａがなくても、先端部７３ａが開口部４１の前方から退避する位置まで軟質シール部７２ａを変形させ、これをストッパ８によって保持するように構成すれば、同様に開放端シール部材７ａが商品収納棚５の引き出し作業の邪魔にならないようにすることがにできる。
【００３６】
なお、第１及び第２の実施の形態で示した、開放端シール部材７ａ、溝部２１ａ、ストッパ８の形状はこれに限定されたものではない。
【００３７】
【発明の効果】
本発明によれば、開放端シール部材の延出部を開口部の前方から退避させた状態で保持させることができるので、開放端シール部材を取り外さなくても、商品収納棚の着脱の際に開放端シール部材が邪魔にならないようにすることができる。
【図面の簡単な説明】
【図１】本発明の自動販売機の本体平面断面図である。
【図２】本発明第１の実施の形態に係る自動販売機の平面断面図の要部拡大図であり、（ａ）は開放端シール部材の延出部が開口部の前方に延出した状態を示す図、（ｂ）は開放端シール部材の延出部が保持手段に保持された状態を示す図である。
【図３】本発明第２の実施の形態に係る自動販売機の平面断面図の要部拡大図であり、（ａ）は開放端シール部材の延出部が開口部の前方に延出した状態を示す図、（ｂ）は開放端シール部材の延出部がストッパ部材によって保持された状態を示す図である。
【図４】従来の自動販売機の斜視図である。
【符号の説明】
１      自動販売機
２      本体
３      本体扉
４      商品収納庫
５      商品収納棚
７      シール部材
７ａ    開放端シール部材
８      ストッパ
８ａ    螺子
２１    本体フレーム（保持手段）
２１ａ  溝部（嵌合部）
４１    開口部
４３    断熱壁
６１    上断熱扉
６２    下断熱扉
６１ａ  開放端部
６２ａ  開放端部
７２ａ  軟質シール部（軟質部）
７３ａ  先端部（延出部）
７４ａ  ひれ部
７５ａ  切り欠き部
【図１】
0003714219.tif 000002
【図２】
0003714219.tif 000003
【図３】
0003714219.tif 000004
【図４】
0003714219.tif 000005